(57)【要約】  ユーザ装置間通信を行うユーザ装置は、他セル又は他キャリアのユーザ装置から送信されたユーザ装置間同期信号を検出する同期信号検出部と、ユーザ装置間同期信号に基づいて受信タイミングを設定する制御部と、ユーザ装置間同期信号に基づいて定められた時間ウィンドウ内に、他セル又は他キャリアのユーザ装置から送信されたスケジューリング情報又は発見信号を受信する受信部とを有する。
2015170544.tif 000002
【特許請求の範囲】
【請求項１】
ユーザ装置間通信を行うユーザ装置であって、
他セル又は他キャリアのユーザ装置から送信されたユーザ装置間同期信号を検出する同期信号検出部と、
ユーザ装置間同期信号に基づいて受信タイミングを設定する制御部と、
ユーザ装置間同期信号に基づいて定められた時間ウィンドウ内に、他セル又は他キャリアのユーザ装置から送信されたスケジューリング情報又は発見信号を受信する受信部と、
を有するユーザ装置。
【請求項２】
前記制御部は、ユーザ装置間通信のためのリソースのうち、自セルの送信リソースプール以外のリソースにおいてユーザ装置間同期信号が検出された場合、前記検出されたユーザ装置間同期信号に基づいて受信タイミングを設定する、請求項１に記載のユーザ装置。
【請求項３】
前記同期信号検出部は、自セルの基地局から送信された同期信号を検出し、
前記受信部は、自セルの基地局から送信されたセル間同期情報を受信し、
前記制御部は、自セルの基地局から送信された同期信号と、セル間同期情報とに基づいて受信タイミングを設定する、請求項１又は２に記載のユーザ装置。
【請求項４】
前記同期信号検出部は、他セルの基地局から送信された同期信号を検出し、
前記受信部は、自セルの基地局から送信された他セルの送信リソースプールを受信し、
前記制御部は、他セルの基地局から送信された同期信号と、自セルの基地局から送信された他セルの送信リソースプールとに基づいて受信タイミングを設定する、請求項１乃至３のうちいずれか１項に記載のユーザ装置。
【請求項５】
前記受信部は、自セルの基地局、他セルのユーザ装置又は他キャリアのユーザ装置から前記時間ウィンドウの情報を受信する、請求項１乃至４のうちいずれか１項に記載のユーザ装置。
【請求項６】
自セルの基地局からの指示に基づいて、ユーザ装置間同期信号を送信するか否かを制御する送信制御部を更に有する、請求項１乃至５のうちいずれか１項に記載のユーザ装置。
【請求項７】
送信リソースプールが複数のサブリソースに分割される場合、
前記受信部は、分割された複数のサブリソースのうち少なくとも１つのサブリソースで他セルのユーザ装置から送信されたスケジューリング情報又は発見信号を受信する、請求項１乃至６のうちいずれか１項に記載のユーザ装置。
【請求項８】
前記受信部は、セルラー通信の信号とユーザ装置間通信の信号とを時間的に切り替えて受信する場合、セルラー通信の信号の受信が不要なサブフレームにおいて、ユーザ装置間通信の信号を受信する、請求項１乃至７のうちいずれか１項に記載のユーザ装置。
【請求項９】
前記受信部は、セルラー通信の信号を受信してから所定期間が経過した後に、ユーザ装置間通信の信号を受信する、請求項８に記載のユーザ装置。
【請求項１０】
ユーザ装置間通信を行うユーザ装置における信号受信方法であって、
他セル又は他キャリアのユーザ装置から送信されたユーザ装置間同期信号を検出するステップと、
ユーザ装置間同期信号に基づいて受信タイミングを設定するステップと、
ユーザ装置間同期信号に基づいて定められた時間ウィンドウ内に、他セル又は他キャリアのユーザ装置から送信されたスケジューリング情報又は発見信号を受信するステップと、
を有する信号受信方法。
【発明の詳細な説明】
【技術分野】
【０００１】
本発明は、ユーザ装置及び信号受信方法に関する。
【背景技術】
【０００２】
移動体通信では、端末（以下、ユーザ装置ＵＥと呼ぶ）と基地局ｅＮＢが通信を行うことによりユーザ装置ＵＥ間で通信を行うことが一般的であるが、近年、ユーザ装置ＵＥ間で直接に通信を行うことについての種々の技術が検討されている（非特許文献１参照）。ユーザ装置ＵＥ間で直接に通信を行うことをＤ２Ｄ（Device to Device）通信又はユーザ装置間通信と呼ぶ。【０００３】
近傍のユーザ装置ＵＥ間に限定したサービス・アプリケーションを実現するために、一方のユーザ装置ＵＥは、近隣の他方のユーザ装置ＵＥを発見することが必要である。ユーザ装置ＵＥを発見する手法として、各ユーザ装置ＵＥが、自身のＩＤやアプリケーション・サービスのＩＤ等を含む発見信号（Discovery Signal）を送信（ブロードキャスト）する手法がある。【０００４】
図１Ａ及び図１Ｂは、Ｄ２Ｄ通信におけるユーザ装置の発見を示す図である。図１Ａに示すように、Ｄ２Ｄ通信のためのリソースは、セルラー通信（以降、ＷＡＮと呼ぶ）のリソースと多重される。多重は、周波数多重（ＦＤＭ：Frequency Division Multiplexing）、時間分割多重（ＴＤＭ：Time Division Multiplexing）、ＴＤＭとＦＤＭの組み合わせ等により行われる。このＤ２Ｄ通信のためのリソースを使用してユーザ装置は発見信号を送信することができる。【０００５】
図１Ｂに示すように、セル１の基地局ｅＮＢ１は、配下のユーザ装置ＵＥ１に対してＤ２Ｄ通信のためのリソースの中から信号の送信のために使用可能なリソース（時間−周波数リソース）の集合を通知する。このリソースの集合を送信リソースプールと呼ぶ。同様に、セル２の基地局ｅＮＢ２は、配下のユーザ装置ＵＥ２に対して送信リソースプールを通知する。【０００６】
ユーザ装置ＵＥ１及びＵＥ２は、それぞれの基地局ｅＮＢ１及びｅＮＢ２から通知された送信リソースプール内のリソースまたはｅＮＢ１及びｅＮＢ２から個別に指定されたリソースを用いて発見信号の送信を行う。ユーザ装置ＵＥ２は、他セルのユーザ装置ＵＥ１からの発見信号を受信した場合、ユーザ装置ＵＥ１を発見することが可能になる。基地局ｅＮＢのカバレッジ外では、予め定められたリソースプールを用いてもよい。【０００７】
また、ユーザ装置ＵＥ１がユーザ装置ＵＥ２にＤ２Ｄデータを送信するために、ユーザ装置ＵＥ１は、Ｄ２Ｄデータのリソース位置を示すスケジューリング情報（ＳＡ：Scheduling Assignment）を送信する。ＳＡも発見信号と同様に、それぞれの基地局ｅＮＢ１及びｅＮＢ２から通知された送信リソースプール内のリソースまたはｅＮＢ１及びｅＮＢ２から個別に指定されたリソースを用いて送信される。基地局ｅＮＢのカバレッジ外では、予め定められたリソースプールを用いてもよい。ＳＡには、Ｄ２Ｄデータが送信されるリソースの割り当て情報が含まれる。ユーザ装置ＵＥ２は、他セルのユーザ装置ＵＥ１からのＳＡを受信した場合、ユーザ装置ＵＥ１からＤ２Ｄデータを受信することが可能になる。
【先行技術文献】
【非特許文献】
【０００８】
【非特許文献１】3GPP TR 36.843 V12.0.1 (2014-03)
【発明の概要】
【発明が解決しようとする課題】
【０００９】
上記のようなスケジューリング情報（ＳＡ）又は発見信号のセル間での送受信を可能にするために、ユーザ装置間で同期信号が使用される。【００１０】
図２は、Ｄ２Ｄ通信におけるユーザ装置間の同期を示す図である。基地局ｅＮＢ１は、ＰＳＳ（Primary Synchronization Channel）又はＳＳＳ（Secondary Synchronization Channel）により同期信号をユーザ装置ＵＥ１に送信する。基地局ｅＮＢ１から同期信号を受信したユーザ装置ＵＥ１は、受信した同期信号に基づいて送受信タイミングを制御する。同様に、基地局ｅＮＢ２は、ＰＳＳ又はＳＳＳにより同期信号をユーザ装置ＵＥ２に送信する。基地局ｅＮＢ２から同期信号を受信したユーザ装置ＵＥ２は、受信した同期信号に基づいて送受信タイミングを制御する。【００１１】
一方、セル間では送受信タイミングは一致しているとは限らないため、セル間でのＤ２Ｄ通信を可能にするために、ユーザ装置ＵＥ１及びＵＥ２が同期信号を送信することにより、ユーザ装置ＵＥ１とユーザ装置ＵＥ２の送受信タイミングを一致させることができる。ユーザ装置ＵＥ１及びＵＥ２によるＤ２Ｄ通信のための同期信号をＤ２ＤＳＳ（D2D Synchronization Signal）又はユーザ装置間同期信号と呼ぶ。【００１２】
ＰＳＳ／ＳＳＳまたはＤ２ＤＳＳを用いて同期することにより、ユーザ装置は、他のユーザ装置から送信されたスケジューリング情報（ＳＡ：Scheduling Assignment）又は発見信号を検出することができる。【００１３】
上記のように、ＳＡ又は発見信号は、それぞれの基地局ｅＮＢ１及びｅＮＢ２から通知された送信リソースプール内のリソースを用いて送信される。ユーザ装置ＵＥ１及びＵＥ２は、自セル内のユーザ装置から送信されるＳＡ又は発見信号を受信するために、自セルの送信リソースプールにおいて受信を試みる必要があり、他セル内のユーザ装置から送信されるＳＡ又は発見信号を受信するためには、他セルの送信リソースプールにおいても受信を試みる必要がある。また、複数のＤ２ＤＳＳを検出した場合、ＳＡ又は発見信号を受信するユーザ装置が複数セルからの信号を受信するためにはしかるべきサブフレームでしかるべきＤ２ＤＳＳに同期しなければならないが、適切なＤ２ＤＳＳを同定することは困難である。そのためユーザ装置は可能な限り多くのサブフレームで受信を試みる必要が生じ、セル間でのＤ２Ｄ通信では、ＳＡ又は発見信号の受信のためにユーザ装置のバッテリ消費が大きくなることにもつながる。同様の問題はキャリア間のＤ２Ｄ通信においても生じる。【００１４】
本発明は、Ｄ２Ｄ通信においてセル間又はキャリア間で送信されるスケジューリング情報又は発見信号を効率的に検出することを目的とする。
【課題を解決するための手段】
【００１５】
本発明の一形態に係るユーザ装置は、
ユーザ装置間通信を行うユーザ装置であって、
他セル又は他キャリアのユーザ装置から送信されたユーザ装置間同期信号を検出する同期信号検出部と、
ユーザ装置間同期信号に基づいて受信タイミングを設定する制御部と、
ユーザ装置間同期信号に基づいて定められた時間ウィンドウ内に、他セル又は他キャリアのユーザ装置から送信されたスケジューリング情報又は発見信号を受信する受信部と、
を有することを特徴とする。【００１６】
また、本発明の一形態に係る信号受信方法は、
ユーザ装置間通信を行うユーザ装置における信号受信方法であって、
他セル又は他キャリアのユーザ装置から送信されたユーザ装置間同期信号を検出するステップと、
ユーザ装置間同期信号に基づいて受信タイミングを設定するステップと、
ユーザ装置間同期信号に基づいて定められた時間ウィンドウ内に、他セル又は他キャリアのユーザ装置から送信されたスケジューリング情報又は発見信号を受信するステップと、
を有することを特徴とする。
【発明の効果】
【００１７】
本発明によれば、Ｄ２Ｄ通信においてセル間又はキャリア間で送信されるスケジューリング情報又は発見信号を効率的に検出することが可能になる。
【図面の簡単な説明】
【００１８】
【図１Ａ】Ｄ２Ｄ通信におけるユーザ装置の発見を示す図（Ｄ２Ｄ通信のためのリソース）
【図１Ｂ】Ｄ２Ｄ通信におけるユーザ装置の発見を示す図（Ｄ２Ｄ通信における発見信号の送受信）
【図２】Ｄ２Ｄ通信におけるユーザ装置間の同期を示す図
【図３】本発明の実施例に係る通信システムの構成図
【図４】Ｄ２Ｄ通信における送信リソースプールを示す図
【図５】本発明の実施例に係るユーザ装置の受信タイミングを示す概略図
【図６Ａ】本発明の実施例で用いられる送信リソースプールを示す図
【図６Ｂ】本発明の実施例で用いられる送信リソースプールを示す図
【図７】本発明の実施例に係る基地局の構成図
【図８】本発明の実施例に係る基地局におけるベースバンド信号処理部の構成図
【図９】本発明の実施例に係るユーザ装置の構成図
【図１０】本発明の実施例に係るユーザ装置におけるベースバンド信号処理部の構成図（ＷＡＮ／Ｄ２Ｄ受信機独立端末の場合）
【図１１】本発明の実施例に係るユーザ装置におけるベースバンド信号処理部の構成図（ＷＡＮ／Ｄ２Ｄ受信機共用端末の場合）
【図１２】ＷＡＮ／Ｄ２Ｄ受信機共用端末におけるＤ２Ｄ受信可能な期間を示す図
【図１３】本発明の実施例に係る通信システムにおける信号送受信方法を示すシーケンス図
【発明を実施するための形態】
【００１９】
以下、図面に基づいて本発明の実施例について説明する。
【００２０】
＜通信システムの概要＞
図３は、本発明の実施例に係る通信システムの構成図である。本発明の実施例に係る通信システムは、基地局ｅＮＢの配下に複数のユーザ装置ＵＥが存在するセルラー通信システムである。通信システムには、複数の基地局ｅＮＢ及び複数のユーザ装置ＵＥが存在するが、図３ではそのうちの２つの基地局ｅＮＢ１及びｅＮＢ２と、２つのユーザ装置ＵＥ１及びＵＥ２を示している。Ｄ２Ｄ通信を行うユーザ装置は、セル外にも存在し得るが、図３では省略している。以下、２つの基地局ｅＮＢ１及びｅＮＢ２は同じキャリアの基地局である場合について説明するが、２つの基地局ｅＮＢ１及びｅＮＢ２は異なるキャリアの基地局でもよい。
【００２１】
基地局ｅＮＢ１は、自セル１内のユーザ装置ＵＥ１とＷＡＮのリソースを使用して通信する。同様に、基地局ｅＮＢ２は、自セル２内のユーザ装置ＵＥ２とＷＡＮのリソースを使用して通信する。ユーザ装置ＵＥ１は、基地局ｅＮＢ１及びｅＮＢ２を経由することなく、Ｄ２Ｄ通信のためのリソースを使用してユーザ装置ＵＥ２と直接に通信することができる。ＷＡＮのリソースとＤ２Ｄ通信のためのリソースは、例えば図１（Ａ）に示すように多重されている。
【００２２】
基地局ｅＮＢ１は、配下のユーザ装置ＵＥ１に対してＤ２Ｄ信号の送信に使用可能なリソースの集合（送信リソースプール）を通知する。同様に、基地局ｅＮＢ２は、配下のユーザ装置ＵＥ２に対してＤ２Ｄ信号の送信に使用可能なリソースの集合（送信リソースプール）を通知する。
【００２３】
図４は、Ｄ２Ｄ通信における送信リソースプールを示す図である。Ｄ２Ｄ通信のためのリソースには、セル間で共通の送信リソースプールが設けられてもよいし、セル毎に送信リソースプールが設けられてもよい。例えば、セル１の送信リソースプールは、Ｄ２Ｄ通信のための全リソースの中の予め決められた部分でもよい。送信リソースプールは、セル毎に異なってもよい。すなわち、セル１の送信リソースプールとセル２の送信リソースプールには別の時間−周波数リソースが用いられてもよい。
【００２４】
自セルの送信リソースプールで自セルのユーザ装置からのＤ２Ｄ信号を受信する可能性があり、他セルの送信リソースプールで他セルのユーザ装置からのＤ２Ｄ信号を受信する可能性がある。より具体的には、セル１のユーザ装置ＵＥ１は、セル１の送信リソースプール（Ｄ２Ｄ  ＴＸ  １）において、セル１のユーザ装置からのＤ２Ｄ信号を受信する。また、ユーザ装置ＵＥ１は、セル２の送信リソースプール（Ｄ２Ｄ  ＴＸ  ２）において、セル２のユーザ装置からのＤ２Ｄ信号を受信する。このため、自セル及び他セルの送信リソースプールを含むＤ２Ｄ通信のためのリソースは受信リソースプールと呼ばれる。受信リソースプールは基地局ｅＮＢ１及びｅＮＢ２から通知されてもよい。また、送信・受信リソースプールはそれぞれ、時間・周波数的に連続であっても、不連続であってもよい。送信・受信リソースプールをＤ２Ｄ信号毎又はＤ２Ｄ信号の送信法毎に定義してもよいし、複数のＤ２Ｄ信号又は複数のＤ２Ｄ信号の送信法で共用してもよい。
【００２５】
セル間では送受信タイミングは一致しているとは限らないため、セル間でのＤ２Ｄ通信を可能にするために、ユーザ装置ＵＥ１及びＵＥ２が同期信号（Ｄ２ＤＳＳ又はユーザ装置間同期信号）を送信することにより、ユーザ装置ＵＥ１及びＵＥ２は、送受信タイミングを一致させる必要がある。
【００２６】
ユーザ装置ＵＥ２は、基地局ｅＮＢ２から通知された送信リソースプールの中のリソースまたは基地局ｅＮＢ２から個別に通知されたリソースを用いてＤ２ＤＳＳを送信する。ユーザ装置ＵＥ２から送信されたＤ２ＤＳＳを検出したユーザ装置ＵＥ１は、検出したＤ２ＤＳＳに基づいて受信タイミングを設定する。
【００２７】
次に、ユーザ装置ＵＥ１は、ユーザ装置ＵＥ２からのスケジューリング情報（ＳＡ）又は発見信号の受信を試みる。本発明の実施例では、ユーザ装置ＵＥ１は、Ｄ２Ｄ通信のリソースの全てでＳＡ又は発見信号の受信を試みるのではなく、Ｄ２ＤＳＳに基づいて定められた時間ウィンドウ内にＳＡ又は発見信号の受信を試みてもよい。その結果、ユーザ装置における省電力化を実現する。ユーザ装置ＵＥ１の受信動作について以下に更に説明する。
【００２８】
図５は、本発明の実施例に係るユーザ装置の受信タイミングを示す概略図である。
【００２９】
セル２の配下のユーザ装置ＵＥ２は、ＳＡ又は発見信号の送信前にＤ２ＤＳＳを送信する。Ｄ２ＤＳＳを送信するユーザ装置ＵＥは、基地局ｅＮＢの制御により制限されててもよい。例えば、基地局ｅＮＢから上位レイヤのシグナリングにより、一部のユーザ装置ＵＥに対しＤ２ＤＳＳの送信を禁止したり、逆に基地局ｅＮＢからＤ２ＤＳＳを送信するユーザ装置ＵＥを指定したりすることが考えられる。セル１の配下のユーザ装置ＵＥ１は、Ｄ２Ｄ通信のためのリソースのうち、自セルの送信リソースプール以外のリソース（例えば、セル２の送信リソースプール）においてＤ２ＤＳＳが検出された場合、Ｄ２ＤＳＳに基づいて受信タイミングを設定する。自セルの送信リソースプールにおいても、自セルのＤ２ＤＳＳが存在するか否かを判定することで、自セル内でのＤ２ＤＳＳが存在しない場合のみ他セル又は他キャリアのＤ２ＤＳＳに基づいて受信タイミングを設定してもよい。この動作により、セル間で送信リソースプールが時間的に重なっている場合でも他セル又は他キャリアのＳＡまたは発見信号を受信することができる。
【００３０】
本発明の実施例では、ユーザ装置ＵＥ２から送信されるＳＡ又は発見信号は、Ｄ２ＤＳＳの位置に基づいて設定される。すなわち、Ｄ２ＤＳＳの位置から所定の時間ウィンドウ内にＳＡ又は発見信号が送信される。従って、ユーザ装置ＵＥ１は、Ｄ２ＤＳＳの検出後、Ｄ２ＤＳＳに基づいて定められた時間ウィンドウ内において、ユーザ装置ＵＥ２からのＳＡ又は発見信号を受信する。この時間ウィンドウは、予めユーザ装置内に設定されてもよく、基地局ｅＮＢ１からの報知情報（ＳＩＢ：System Information Block）又はＲＲＣ（Radio Resource Control）シグナリング等の上位レイヤのシグナリングにより通知されてもよく、ユーザ装置ＵＥ２からのＤ２ＤＳＳ又はＰＤ２ＤＳＣＨ（Physical D2D Synchronization Channel）に含まれてもよい。時間ウィンドウは連続したサブフレームでも、不連続なサブフレームでもよい。例えば、リソースプールが全サブフレームのサブセットに対してのみ定義され得る場合、リソースプールとして用いられ得るサブフレームに対し時間ウィンドウを定義することが考えられる。
【００３１】
ユーザ装置ＵＥ１が時間ウィンドウ内にＳＡを受信した場合、ＳＡにより示されるリソースの割り当て位置において、ユーザ装置ＵＥ２からのＤ２Ｄデータを受信する。なお、ユーザ装置ＵＥ２からのＤ２Ｄデータは、Ｄ２Ｄデータ通信のためのリソースプールにおいて受信されてもよく、ＷＡＮのリソースにおいて受信されてもよい。また、ユーザ装置ＵＥ１は、ユーザ装置ＵＥ２からのＤ２Ｄデータを受信するまで、ユーザ装置ＵＥ２から受信したＤ２ＤＳＳに基づいて設定した受信タイミングを保持し、Ｄ２Ｄデータの受信に用いてもよい。
【００３２】
Ｄ２ＤＳＳと発見信号またはＳＡとを時間ウィンドウで関連付ける代わりに、Ｄ２ＤＳＳの構成と各セルの送信リソースプール（受信ユーザ装置にとっては受信リソースプール）とを関連付けることにより同等の動作を実現してもよい。具体的には、上位レイヤシグナリング（ＲＲＣシグナリング、ＳＩＢを含む）によりＤ２ＤＳＳの構成（例えばＩＤ）と当該セルの送信リソースプール情報を通知してもよい。
【００３３】
＜リソースのマッピング＞
次に、送信リソースプールへの信号のマッピングの具体例を説明する。図６Ａ及び図６Ｂは、本発明の実施例で用いられる送信リソースプールを示す図である。
【００３４】
図６Ａに示すように、Ｄ２ＤＳＳは、送信リソースプールの予め定められたリソースにマッピングされる。例えば、Ｄ２ＤＳＳは、第１サブフレームの先頭シンボルにマッピングされてもよく、ＳＩＢ又はＲＲＣシグナリング等の上位レイヤのシグナリングで通知されたシンボルにマッピングされてもよい。
【００３５】
ＰＤ２ＤＳＣＨが用いられる場合、ＰＤ２ＤＳＣＨは、送信リソースプールの予め定められたリソースにマッピングされてもよいし、予め定められたリソースをＤ２ＤＳＳに対しする相対的なリソース位置として定義してマッピングされてもよい。ＰＤ２ＤＳＣＨの受信にはＤ２ＤＳＳが必要となるため、ＰＤ２ＤＳＣＨは、Ｄ２ＤＳＳより後のサブフレーム又はシンボルにマッピングされてもよい。例えば、ＰＤ２ＤＳＣＨは、第２サブフレームにマッピングされてもよく、第１サブフレーム内のＤ２ＤＳＳより後のシンボルにマッピングされてもよい。また、ＰＤ２ＤＳＣＨは、Ｄ２ＤＳＳと同一の周波数リソースを用いて送信されてもよい。
【００３６】
ＳＡ又は発見信号は、Ｄ２ＤＳＳ又はＰＤ２ＤＳＣＨの次のサブフレームから送信リソースプールの最終サブフレームの間で送信される。
【００３７】
また、図６Ｂに示すように、送信リソースプールはＤ２ＤＳＳを用いて複数のサブリソースに分割されてもよい。サブリソース内で図６Ａに示すマッピングが適用される。すなわち、Ｄ２ＤＳＳは、サブリソースの予め定められたシンボル（例えば、第１サブフレームの先頭シンボル）にマッピングされる。ＰＤ２ＤＳＣＨが用いられる場合、ＰＤ２ＤＳＣＨは、サブリソースの予め定められたサブフレーム（例えば、第２サブフレーム、第１サブフレーム内のＤ２ＤＳＳより後のシンボル）にマッピングされる。ＳＡ又は発見信号は、Ｄ２ＤＳＳ又はＰＤ２ＤＳＣＨの次のサブフレームからサブリソースの最終サブフレームの間で送信される。
【００３８】
送信リソースプールが複数のサブリソースに分割される場合、ユーザ装置は、分割された複数のサブリソースのうち少なくとも１つのサブリソースでＳＡ又は発見信号の受信を試みてもよい。ユーザ装置が受信を試みるサブリソースは、基地局からＳＩＢ又はＲＲＣシグナリング等の上位レイヤのシグナリングで通知されてもよい。
【００３９】
なお、サブリソースのサブフレーム数は、ユーザ装置及び基地局に予め記録されてもよい。ユーザ装置及び基地局は、予め記録されたサブフレーム数に基づいて、送信リソースプールを分割し、Ｄ２ＤＳＳ等の位置を把握することができる。或いは、基地局が送信リソースプールをユーザ装置に通知する際に、複数のサブリソースを通知してもよい。
【００４０】
また、サブリソースのサブフレーム数は、Ｄ２ＤＳＳ等の情報に関連付けられてもよい。例えば、サブリソースのサブフレーム数は、Ｄ２ＤＳＳのシンボルマッピングやＩＤ、サイクリックシフト（Cyclic shift）、ＯＣＣ（Orthogonal Cover Code）等に関連付けられてもよい。ユーザ装置は、Ｄ２ＤＳＳ等を受信することにより、サブリソースのサブフレーム数を求め、Ｄ２ＤＳＳ等の位置を把握することができる。
【００４１】
＜基地局の構成＞
図７は、本発明の実施例に係る基地局（ｅＮＢ）１０の構成図である。基地局１０は、伝送路インターフェース１０１と、ベースバンド信号処理部１０３と、呼処理部１０５と、送受信部１０７と、アンプ部１０９とを有する。
【００４２】
下りリンクにより基地局１０からユーザ装置に送信されるデータは、上位局装置から伝送路インターフェース１０１を介してベースバンド信号処理部１０３に入力される。
【００４３】
ベースバンド信号処理部１０３では、ＰＤＣＰ（Packet Data Convergence Protocol）レイヤの処理、データの分割・結合、ＲＬＣ（Radio Link Control）再送制御の送信処理などのＲＬＣレイヤの送信処理、ＭＡＣ（Medium Access Control）再送制御、例えば、ＨＡＲＱ（Hybrid Automatic Repeat reQuest）の送信処理、スケジューリング、伝送フォーマット選択、チャネル符号化、逆高速フーリエ変換（ＩＦＦＴ：Inverse Fast Fourier Transform）処理、プリコーディング処理が行われる。また、下りリンク制御チャネルである物理下りリンク制御チャネルの信号に関しても、チャネル符号化や逆高速フーリエ変換等の送信処理が行われる。
【００４４】
呼処理部１０５は、通信チャネルの設定や解放等の呼処理や、基地局１０の状態管理や、無線リソースの管理を行う。
【００４５】
送受信部１０７は、ベースバンド信号処理部１０３から出力されたベースバンド信号を無線周波数帯に周波数変換する。アンプ部１０９は周波数変換された送信信号を増幅して送受信アンテナへ出力する。なお、複数の送受信アンテナが用いられる場合、複数の送受信部１０７及びアンプ部１０９が存在してもよい。
【００４６】
一方、上りリンクによりユーザ装置から基地局１０に送信される信号については、送受信アンテナで受信された無線周波数信号がアンプ部１０９で増幅され、送受信部１０７で周波数変換されてベースバンド信号に変換され、ベースバンド信号処理部１０３に入力される。
【００４７】
ベースバンド信号処理部１０３は、上りリンクで受信したベースバンド信号に含まれるデータに対して、ＦＦＴ処理、ＩＤＦＴ処理、誤り訂正復号、ＭＡＣ再送制御の受信処理、ＲＬＣレイヤ、ＰＤＣＰレイヤの受信処理を行う。復号された信号は伝送路インターフェース１０１を介して上位局装置に転送される。
【００４８】
図８は、本発明の実施例に係る基地局１０におけるベースバンド信号処理部１０３の構成図である。ベースバンド信号処理部１０３は、制御部１０３１と、下りリンク（ＤＬ）信号生成部１０３２と、マッピング部１０３３と、Ｄ２Ｄ設定決定部１０３４と、上りリンク（ＵＬ）信号復号部１０３５と、判定部１０３６とを有する。
【００４９】
制御部１０３１は、ベースバンド信号処理部１０３の全体の管理を行う。下りリンクによりユーザ装置に送信する信号については、伝送路インターフェース１０１から入力されたデータをＤＬ信号生成部１０３２に入力する。上りリンクによりユーザ装置から受信した信号については、ＵＬ信号復号部１０３５で復号されたデータを伝送路インターフェース１０１に入力する。
【００５０】
ＤＬ信号生成部１０３２は、ユーザ装置に送信する信号を生成する。ユーザ装置に送信する信号には、データ及び制御情報が含まれ、データは主にＰＤＳＣＨ（Physical Downlink Shared Channel）で送信され、ＰＤＳＣＨを受信するために必要な割り当て情報は、ＰＤＣＣＨ（Physical Downlink Control Channel）又はｅＰＤＣＣＨ（enhanced PDCCH）で送信される。また、ＤＬ信号生成部１０３２は、Ｄ２Ｄ通信のための同期信号を生成する。同期信号は、ＰＳＳ又はＳＳＳで送信される。更に、ＤＬ信号生成部１０３２は、Ｄ２Ｄ通信のためのＤ２Ｄ設定情報を含む信号を生成する。Ｄ２Ｄ設定情報は、ＳＩＢ又はＲＲＣ（Radio Resource Control）シグナリング等の上位レイヤのシグナリングにより通知される。また、Ｄ２Ｄ設定情報は、ＰＤＣＣＨ又はｅＰＤＣＣＨで通知されてもよい。
【００５１】
マッピング部１０３３は、ＰＤＳＣＨで送信するデータ及びＰＤＣＣＨ又はｅＰＤＣＣＨで送信する制御情報をスケジューリング部（図示せず）で決定されたリソースに配置する。また、Ｄ２Ｄ通信のための同期信号及びＤ２Ｄ設定情報を予め決定されたリソースに配置する。
【００５２】
Ｄ２Ｄ設定決定部１０３４は、Ｄ２Ｄ通信のためのＤ２Ｄ設定情報を決定する。例えば、Ｄ２Ｄ設定決定部１０３４は、以下の情報のいずれかの組み合わせを決定する。
【００５３】
（１）セル間同期情報
セル間同期情報とは、セル間の同期タイミング差あるいは絶対同期時刻であり、例えば、セルＩＤまたはＤ２ＤＳＳのＩＤと、同期タイミングとが含まれる。セル間同期情報は、ユーザ装置においてセル間でのＤ２Ｄ通信における受信タイミング同期に使用される。
【００５４】
（２）自セル及び他セルの送信リソースプール
基地局は、自セルの送信リソースプールだけでなく、他セルの送信リソースプールを通知してもよい。送信リソースプールにおいて図６Ａ又は図６Ｂに示すようなマッピングが用いられる場合、ユーザ装置は、他セルに同期することにより、他セルの送信リソースプールからＤ２ＤＳＳの位置を把握することが可能になる。
【００５５】
また、自セル及び他セルの送信リソースプールに加えて、セルＩＤも通知されてもよい。ユーザ装置は、他セルの基地局から送信されたＰＳＳ／又はＳＳＳから、他セルに同期することが可能になる。更に、仮想セルＩＤ（virtual cell ID）、ユーザ装置ＩＤ（UE ID）、Ｄ２ＤＳＳのＩＤ等も通知されてもよく、送信リソースプール間の相対同期タイミングが通知されてもよい。
【００５６】
なお、メジャメントにより他セルの同期情報を取得しているユーザ装置は、Ｄ２ＤＳＳの検出を行わずに他セルの送信リソースプールにおいて送信された信号を受信してもよい。
【００５７】
（３）ＳＡ又は発見信号を検出するための時間ウィンドウ
時間ウィンドウは、Ｄ２ＤＳＳの位置を基準として定められる。ユーザ装置は、通知された時間ウィンドウ内でＳＡ又は発見信号を検出すればよい。周辺セル・キャリアの数が多い場合には、効率的な受信タイミングの切り替えが可能になる。
【００５８】
（４）Ｄ２Ｄキャリアリスト及び送信リソースプール
Ｄ２Ｄキャリアリストとは、Ｄ２Ｄを運用しているキャリア（オペレータＩＤを含んでもよい）のリストである。Ｄ２Ｄキャリアリストを受信したユーザ装置はＤ２Ｄキャリアの候補を限定し、効率的に各キャリアの信号を受信することが可能になる。加えて送信または受信リソースプールを通知してもよい。
【００５９】
なお、セルサーチおよびメジャメントにより他キャリアの同期情報や報知情報を取得しているユーザ装置は、Ｄ２ＤＳＳの検出を行わずに他キャリアの送信リソースプールにおいて送信された信号を受信してもよい。
【００６０】
（５）Ｄ２ＤＳＳの送信オン／オフ
基地局は、ユーザ装置に対してＤ２ＤＳＳを送信するか否かを指示してもよい。基地局からＤ２ＤＳＳを送信するように指示されたユーザ装置がＤ２ＤＳＳを送信することにより、ユーザ装置の省電力化を図ることができる。例えば、セル中心のユーザ装置には、Ｄ２ＤＳＳの送信をオフにし、セル端のユーザ装置には、Ｄ２ＤＳＳの送信をオンにしてもよい。これは、セル中心のユーザ装置はセル間でＤ２Ｄ通信を行う可能性が低いと考えられるためである。
【００６１】
（６）送信リソースプール内のリソースのマッピング
基地局は、図６Ａ又は図６Ｂを参照して説明した送信リソースプール内のリソースのマッピングをユーザ装置に通知してもよい。
【００６２】
（７）ＷＡＮ／Ｄ２Ｄ受信機共用端末のためのＤ２Ｄ受信可能サブフレーム
以下に説明するように、ユーザ装置は、ＷＡＮとＤ２Ｄ通信とで受信機を共用することができる。このようなユーザ装置をＷＡＮ／Ｄ２Ｄ受信機共用端末と呼ぶ。ＷＡＮ／Ｄ２Ｄ受信機共用端末は、ＷＡＮの信号を受信している間に、Ｄ２Ｄ信号を受信することができないため、基地局は、Ｄ２Ｄ受信可能なサブフレームをＷＡＮ／Ｄ２Ｄ受信機共用端末に通知してもよい。
【００６３】
ＵＬ信号復号部１０３５は、上りリンクによりユーザ装置から受信した信号を復号する。ＰＵＳＣＨ（Physical Uplink Shared Channel）で受信したデータは、伝送路インターフェース１０１に提供するために制御部１０３１に入力し、ＰＵＣＣＨで受信した送達確認情報（ＡＣＫ／ＮＡＣＫ）も、ＨＡＲＱ等の再送処理のために制御部１０３１に入力する。
【００６４】
判定部１０３６は、ＰＵＳＣＨで受信した信号の再送判定を行う。ＰＵＳＣＨの受信に成功した場合、再送の必要がないことを示す送達確認情報（ＡＣＫ）を生成し、ＰＵＳＣＨの受信に失敗した場合、再送の必要があることを示す送達確認情報（ＮＡＣＫ）を生成する。
【００６５】
＜ユーザ装置の構成＞
図９は、本発明の実施例に係るユーザ装置２０の構成図である。ユーザ装置２０は、アプリケーション部２０１と、ベースバンド信号処理部２０３と、送受信部２０５と、アンプ部２０７とを有する。
【００６６】
下りリンクのデータについては、送受信アンテナで受信された無線周波数信号がアンプ部２０７で増幅され、送受信部２０５で周波数変換されてベースバンド信号に変換される。このベースバンド信号は、ベースバンド信号処理部２０３でＦＦＴ処理や、誤り訂正復号、再送制御の受信処理等がなされる。この下りリンクのデータのうち、下りリンクのデータは、アプリケーション部２０１に転送される。アプリケーション部２０１は、物理レイヤやＭＡＣレイヤより上位のレイヤに関する処理等を行う。
【００６７】
一方、上りリンクのデータは、アプリケーション部２０１からベースバンド信号処理部２０３に入力される。ベースバンド信号処理部２０３においては、再送制御の送信処理や、チャネル符号化、ＤＦＴ処理、ＩＦＦＴ処理を行う。送受信部２０５は、ベースバンド信号処理部２０３から出力されたベースバンド信号を無線周波数帯に変換する。その後、アンプ部２０７で増幅されて送受信アンテナより送信される。
【００６８】
図１０は、本発明の実施例に係るユーザ装置２０におけるベースバンド信号処理部２０３の構成図である。図１０は、ＷＡＮとＤ２Ｄ通信とで独立した受信機を有するＷＡＮ／Ｄ２Ｄ受信機独立端末のベースバンド信号処理部２０３を示している。ベースバンド信号処理部２０３は、制御部２０３１と、送信信号生成部２０３２と、マッピング部２０３３と、ＷＡＮ同期信号検出部２０３４と、ＷＡＮ受信信号復号部２０３５と、ＷＡＮ判定部２０３６と、Ｄ２Ｄ同期信号検出部２０３７と、Ｄ２Ｄ受信信号復号部２０３８と、Ｄ２Ｄ判定部２０３９とを有する。
【００６９】
制御部２０３１は、ベースバンド信号処理部２０３の全体の管理を行う。上りリンクにより基地局に送信する信号については、アプリケーション部２０１から入力されたデータを送信信号生成部２０３２に入力する。下りリンクにより基地局から受信した信号については、ＷＡＮ受信信号復号部２０３５及びＤ２Ｄ受信信号復号部２０３８で受信処理されたデータをアプリケーション部２０１に入力する。
【００７０】
更に、制御部２０３１は、ＷＡＮ同期信号検出部２０３４及びＤ２Ｄ同期信号検出部２０３７において検出された同期信号（ＰＳＳ／ＳＳＳ、Ｄ２ＤＳＳ）に基づいて受信タイミングを設定する。自セルの基地局からの下りリンクの信号又は自セルのユーザ装置からＤ２Ｄ信号を受信する場合、制御部２０３１は、ＷＡＮ同期信号検出部２０３４により検出された同期信号に基づいて受信タイミングを設定し、他セル又は他キャリアのユーザ装置からＤ２Ｄ信号を受信する場合、制御部２０３１は、Ｄ２Ｄ同期信号検出部２０３７により検出されたＤ２ＤＳＳに基づいて受信タイミングを設定する。
【００７１】
より具体的には、制御部２０３１は、Ｄ２Ｄ通信のためのリソースのうち、自セルの送信リソースプール以外のリソースにおいてＤ２ＤＳＳが検出された場合、Ｄ２ＤＳＳの位置から所定の時間ウィンドウ内に他セル又は他キャリアのユーザ装置からＳＡ又は発見信号を受信する可能性があると認識することができる。この場合、制御部２０３１は、検出されたＤ２ＤＳＳに基づいて受信タイミングを設定する。自セルの送信リソースプールにおいても、Ｄ２Ｄ同期信号検出部２０３７で自セルのＤ２ＤＳＳが存在するか否かを判定することで、自セル内でのＤ２ＤＳＳが存在しない場合のみ他セル又は他キャリアのＤ２ＤＳＳに基づいて受信タイミングを設定してもよい。
【００７２】
送信信号生成部２０３２は、基地局又は他のユーザ装置に送信する信号を生成する。基地局に送信する信号には、データ及び制御情報が含まれ、データは主にＰＵＳＣＨで送信される。また、基地局からＰＤＳＣＨで受信したデータの送達確認情報（ＡＣＫ／ＮＡＣＫ）はＰＵＣＣＨで送信される。基地局に送信する信号は、ＷＡＮのリソースで送信される。他のユーザ装置に送信する信号には、Ｄ２ＤＳＳ、ＳＡ、発見信号及びＤ２Ｄデータが含まれる。他のユーザ装置に送信する信号のうち、Ｄ２ＤＳＳ、ＳＡ及び発見信号は、基地局から通知されたＤ２Ｄ通信のための送信リソースプール内で送信される。他のユーザ装置に送信する信号のうちＤ２Ｄデータは、Ｄ２Ｄデータ通信のためのリソースプール内で送信されてもよく、ＷＡＮのリソースで送信されてもよい。
【００７３】
マッピング部２０３３は、ＰＵＳＣＨで送信するデータを基地局のスケジューリング部で決定されたリソースに配置する。また、マッピング部２０３３は、他のユーザ装置に送信するＤ２ＤＳＳ、ＳＡ及び発見信号を基地局から通知された送信リソースプール内に配置する。更に、マッピング部２０３３は、他のユーザ装置に送信するＤ２ＤデータをＳＡにより示されるリソースの割り当て位置にマッピングする。
【００７４】
ＷＡＮ同期信号検出部２０３４は、基地局のＰＳＳ／ＳＳＳから送信された同期信号を検出する。同期信号には所定の信号系列が使用されるため、ＷＡＮ同期信号検出部２０３４は、相関検出等により同期信号を検出することができる。
【００７５】
ＷＡＮ受信信号復号部２０３５は、下りリンクにより基地局から受信した信号を復号し、ＰＤＳＣＨで受信したデータは、アプリケーション部２０１に提供するために制御部２０３１に入力する。
【００７６】
上記のように、ＷＡＮ受信信号復号部２０３５で受信される信号には、（１）セル間同期情報、（２）自セル及び他セルの送信リソースプール、（３）ＳＡ又は発見信号を検出するための時間ウィンドウ、（４）Ｄ２Ｄキャリアリスト及び送信リソースプール、（５）Ｄ２ＤＳＳの送信オン／オフ、（６）送信リソースプール内のリソースのマッピング、（７）ＷＡＮ／Ｄ２Ｄ受信機共用端末のためのＤ２Ｄ受信可能サブフレームのいずれかの組み合わせが含まれる。
【００７７】
セル間同期情報は、制御部２０３１においてセル間でのＤ２Ｄ通信において受信タイミングを同期させるために使用される。例えば、制御部２０３１は、自セルの基地局から送信された同期信号と、セル間同期情報とに基づいて、他セルのユーザ装置からＤ２Ｄ信号を受信するための受信タイミングを設定する。
【００７８】
自セル及び他セルの送信リソースプールは、制御部２０３１においてセル間でのＤ２Ｄ通信において受信タイミングを同期させるために使用される。例えば、制御部２０３１は、他セルの基地局から送信された同期信号と、他セルの送信リソースプールとに基づいて、他セルのユーザ装置からＤ２Ｄ信号を受信するための受信タイミングを設定する。
【００７９】
ＳＡ又は発見信号を検出するための時間ウィンドウは、Ｄ２Ｄ受信信号復号部２０３８がＳＡ又は発見信号を受信するために使用される。Ｄ２Ｄ受信信号復号部２０３８は、時間ウィンドウ内においてＳＡ又は発見信号の受信を試みる。
【００８０】
Ｄ２Ｄキャリアリスト及び送信リソースプールは、Ｄ２Ｄ受信信号復号部２０３８がＤ２Ｄ信号を検出するキャリアを限定するために使用される。Ｄ２Ｄ受信信号復号部２０３８は、Ｄ２Ｄキャリアリスト及び送信リソースプールで指定されたキャリアの周波数及び時間においてＤ２Ｄ信号の受信を試みる。
【００８１】
Ｄ２ＤＳＳの送信オン／オフは、制御部２０３１が送信信号生成部２０３２、マッピング部２０３３及び送受信部２０５に対してＤ２ＤＳＳの送信を許可するか否かを制御するために使用される。例えば、ユーザ装置がセル中心に位置しており、Ｄ２ＤＳＳの送信をオフに設定された場合、制御部２０３１は、送信信号生成部２０３２、マッピング部２０３３及び送受信部２０５に対してＤ２ＤＳＳの送信を許可しない。また、ユーザ装置がセル端に位置しており、Ｄ２ＤＳＳの送信をオンに設定された場合、制御部２０３１は、送信信号生成部２０３２、マッピング部２０３３及び送受信部２０５に対してＤ２ＤＳＳの送信を許可する。
【００８２】
送信リソースプール内のリソースのマッピングは、Ｄ２Ｄ受信信号復号部２０３８がＤ２Ｄ信号を受信するために使用される。例えば、送信リソースプールが複数のサブリソースに分割される場合、Ｄ２Ｄ受信信号復号部２０３８は、分割されたサブリソースのうち基地局から指定されたサブリソースでＤ２Ｄ信号を受信する。
【００８３】
ＷＡＮ／Ｄ２Ｄ受信機共用端末のためのＤ２Ｄ受信可能サブフレームについては以下に説明する。
【００８４】
ＷＡＮ判定部２０３６は、ＰＤＳＣＨで受信した信号の再送判定を行う。ＰＤＳＣＨの受信に成功した場合、再送の必要がないことを示す送達確認情報（ＡＣＫ）を生成し、ＰＵＳＣＨの受信に失敗した場合、再送の必要があることを示す送達確認情報（ＮＡＣＫ）を生成する。
【００８５】
Ｄ２Ｄ同期信号検出部２０３７は、他のユーザ装置から送信されたＤ２ＤＳＳを検出する。Ｄ２ＤＳＳには所定の信号系列が使用されるため、Ｄ２Ｄ同期信号検出部２０３７は、相関検出等により同期信号を検出することができる。
【００８６】
Ｄ２Ｄ受信信号復号部２０３８は、他のユーザ装置から受信した信号を復号し、復号した信号に含まれるＤ２Ｄデータは、アプリケーション部２０１に提供するために制御部２０３１に入力する。Ｄ２Ｄ受信信号復号部２０３８で受信される信号には、ＳＡ又は発見信号を検出するための時間ウィンドウが含まれてもよい。
【００８７】
Ｄ２Ｄ判定部２０３９は、受信したＤ２Ｄ信号の再送判定を行う。Ｄ２Ｄ信号の受信に成功した場合、再送の必要がないことを示す送達確認情報（ＡＣＫ）を生成し、Ｄ２Ｄ信号の受信に失敗した場合、再送の必要があることを示す送達確認情報（ＮＡＣＫ）を生成する。
【００８８】
図１１は、本発明の実施例に係るユーザ装置２０におけるベースバンド信号処理部２０３の構成図である。図１１は、ＷＡＮとＤ２Ｄ通信とで共用される受信機を有するＷＡＮ／Ｄ２Ｄ受信機共用端末のベースバンド信号処理部２０３を示している。ベースバンド信号処理部２０３は、制御部３０３１と、送信信号生成部３０３２と、マッピング部３０３３と、Ｄ２Ｄ／ＷＡＮ切替部３０３４と、同期信号検出部３０３７と、受信信号復号部３０３８と、判定部３０３９とを有する。
【００８９】
制御部３０３１、送信信号生成部３０３２及びマッピング部３０３３は、図１０を参照して説明した制御部２０３１、送信信号生成部２０３２及びマッピング部２０３３と同じである。
【００９０】
同期信号検出部３０３７、受信信号復号部３０３８と及び判定部３０３９は、ＷＡＮとＤ２Ｄ通信とで共用されるため、これらの通信を切り替えるためにＤ２Ｄ／ＷＡＮ切替部３０３４が含まれる。Ｄ２Ｄ／ＷＡＮ切替部３０３４は、Ｄ２Ｄを受信する時間において、同期信号検出部３０３７、受信信号復号部３０３８及び判定部３０３９に対してＤ２Ｄ信号を処理させ、ＷＡＮを受信する時間において、同期信号検出部３０３７、受信信号復号部３０３８及び判定部３０３９に対してＷＡＮ信号を処理させる。
【００９１】
なお、図９に示す送受信部２０５も、ＷＡＮ通信とＤ２Ｄ通信が時間的に切り替えられる。
【００９２】
受信信号復号部３０３８は、基地局から送信される信号を優先して受信するため、ＷＡＮの信号の受信が不要なサブフレームにおいてＤ２Ｄ信号を受信する。
【００９３】
図１２は、ＷＡＮ／Ｄ２Ｄ受信機共用端末におけるＤ２Ｄ受信可能な期間を示す図である。例えば、接続状態（RRC Connected）のユーザ装置は、間欠受信（ＤＲＸ：Discontinuous Reception）のＯＮ期間を除くサブフレーム又は他の周波数を測定するために設けられたメジャメントギャップ（Measurement gap）では、ＷＡＮの信号を受信しない。従って、受信信号復号部３０３８は、ＤＲＸのＯＮ期間を除くサブフレーム又はメジャメントギャップでＤ２Ｄ信号の受信を行ってもよい。なお、発見信号は周期的に送信されるため、ＤＲＸのＯＮ期間に発見信号が送信されたとしても、次の周期で発見信号を検出できる可能性がある。
【００９４】
上記のように、ＷＡＮ／Ｄ２Ｄ受信機共用端末のためのＤ２Ｄ受信可能サブフレームは、基地局からＷＡＮ受信信号復号部２０３５で受信されてもよい。Ｄ２Ｄ受信可能サブフレームは、全てのユーザ装置に対して通知されてもよく、受信機を切り替える必要があるユーザ装置に対して通知されてもよい。
【００９５】
また、ＤＲＸ又はメジャメントギャップの代わりに、受信信号復号部３０３８は、受信機を切り替える必要があるユーザ装置にのみ適用されるタイマを設けて、Ｄ２Ｄ受信可能サブフレームを制御してもよい。例えば、最後のＰＤＣＣＨ受信から所定時間が経過した後、すなわち、ＷＡＮ通信の信号を受信してから所定期間が経過した後に、受信信号復号部３０３８はＤ２Ｄ通信に切り替えてもよい。あるいは、基地局ｅＮＢからＤ２Ｄ受信のためにＲＲＣシグナリング等の上位レイヤシグナリングで通知された周期的なサブフレームを用いてＤ２Ｄ通信に切り替えてもよい。
【００９６】
アイドル状態（RRC Idle）のユーザ装置は、ページングをモニタするサブフレーム以外でＤ２Ｄ信号の受信を行ってもよい。
【００９７】
受信信号復号部３０３８は、Ｄ２Ｄ受信可能サブフレームのうち、Ｄ２Ｄ通信に割り当てられたリソース（受信リソースプール）に合致するサブフレームでＤ２Ｄ信号を受信してもよい。
【００９８】
＜Ｄ２Ｄ信号の送受信方法＞
図１３は、本発明の実施例に係る通信システムにおける信号送受信方法を示すシーケンス図である。
【００９９】
基地局ｅＮＢ１は、配下のユーザ装置ＵＥ１に対して同期情報（ＰＳＳ／ＳＳＳ）を送信する（ステップＳ１０１）。ユーザ装置ＵＥ１は、基地局から受信した同期情報に基づいて受信タイミングを制御する。同様に、基地局ｅＮＢ２は、配下のユーザ装置ＵＥ２に対して同期情報（ＰＳＳ／ＳＳＳ）を送信する（ステップＳ１０３）。ユーザ装置ＵＥ２は、基地局から受信した同期情報に基づいて受信タイミングを制御する。基地局ｅＮＢ２が送信した同期情報は、他セルのユーザ装置ＵＥ１により受信されてもよい。
【０１００】
基地局ｅＮＢ１は、Ｄ２Ｄ設定情報をユーザ装置ＵＥ１に送信する（ステップＳ１０５）。Ｄ２Ｄ設定情報には、自セルの送信リソースプール等が含まれる。ユーザ装置ＵＥ１がＤ２Ｄ信号を容易に検出できるようにするために、Ｄ２Ｄ設定情報には、（１）セル間同期情報、（２）自セル及び他セルの送信リソースプール、（３）ＳＡ又は発見信号を検出するための時間ウィンドウ、（４）Ｄ２Ｄキャリアリスト及び送信リソースプール、（５）Ｄ２ＤＳＳの送信オン／オフ、（６）送信リソースプール内のリソースのマッピング、（７）ＷＡＮ／Ｄ２Ｄ受信機共用端末のためのＤ２Ｄ受信可能サブフレーム等が含まれてもよい。同様に、基地局ｅＮＢ２は、Ｄ２Ｄ設定情報をユーザ装置ＵＥ２に送信する（ステップＳ１０７）。
【０１０１】
ユーザ装置ＵＥ２は、基地局ｅＮＢ２から通知された送信リソースプールの中のリソースを用いてＤ２ＤＳＳを送信する（ステップＳ１０９）。ユーザ装置ＵＥ２から送信されたＤ２ＤＳＳを検出したユーザ装置ＵＥ１は、検出したＤ２ＤＳＳに基づいて受信タイミングを設定する。そして、ユーザ装置ＵＥ１は、Ｄ２ＤＳＳに基づいて定められた時間ウィンドウ内にＳＡ又は発見信号の受信を試みる（ステップＳ１１１）。また、ユーザ装置ＵＥＥ１は、Ｄ２Ｄ設定情報に基づいて受信タイミングを設定し、ＳＡ又は発見信号の受信を試みてもよい。
【０１０２】
ＳＡには、Ｄ２Ｄデータを送信するためのリソースが示されており、このリソースにおいて、ユーザ装置ＵＥ１は、ユーザ装置ＵＥ２から送信されたＤ２Ｄデータを受信する（ステップＳ１１３）。
【０１０３】
このように、時間ウィンドウを用いたＳＡ又は発見信号の受信と、Ｄ２Ｄ信号の検出を容易にするためのＤ２Ｄ設定情報の使用とにより、ＳＡ又は発見信号を効率的に検出することが可能になる。
【０１０４】
＜本発明の実施例の効果＞
本発明の実施例によれば、Ｄ２Ｄ通信においてセル間で送信されるスケジューリング情報又は発見信号を効率的に検出することが可能になる。その結果、ユーザ装置における省電力化が実現できる。
【０１０５】
また、基地局からセル間同期情報等のＤ２Ｄ設定情報を受信することにより、ユーザ装置における更なる省電力化が実現できる。例えば、ユーザ装置がＤ２Ｄ設定情報により他セルのＤ２ＤＳＳの位置を認識できる場合、ユーザ装置は、Ｄ２ＤＳＳを検出する必要はない。
【０１０６】
また、ユーザ装置には、ＷＡＮ／Ｄ２Ｄ受信機独立端末とＷＡＮ／Ｄ２Ｄ受信機共用端末とが含まれるが、これらのいずれの端末も本発明の実施例に記載のＤ２Ｄ通信を実現可能になる。端末の実装によりＤ２Ｄ信号の受信動作が異なるため、ユーザ装置ＵＥは、基地局ｅＮＢに対し端末能力（Capability）をシグナリングしてもよい。例えば、端末能力として、端末がサポートしているＤ２Ｄ通信方式（発見信号の送受信（Discovery）またはデータの送受信（communication）あるいは双方）あるいはＷＡＮ／Ｄ２Ｄ同時受信可能か否か、ＷＡＮ／Ｄ２Ｄ共用受信機数、Ｄ２Ｄ信号の送信に対応しているバンド、Ｄ２Ｄ信号の受信に対応しているバンド、Ｄ２Ｄ信号とＷＡＮとの同時送受信が可能なバンドの組み合わせ等がシグナリングされてもよい。これらの端末能力は、基地局ｅＮＢにおいてユーザ装置ＵＥに対するＤ２Ｄ設定情報やキャリアアグリゲーション（ＣＡ：Carrier Aggregation）の適用可能コンポーネントキャリア（ＣＣ：Component Carrier）数等を決定する際に用いられてもよい。
【０１０７】
説明の便宜上、本発明の実施例に係る基地局及びユーザ装置は機能的なブロック図を用いて説明しているが、本発明の実施例に係る基地局及びユーザ装置は、ハードウェア、ソフトウェアまたはそれらの組み合わせで実現されてもよい。また、各機能部が必要に応じて組み合わせて使用されてもよい。また、本発明の実施例に係る方法は、実施例に示す順序と異なる順序で実施されてもよい。
【０１０８】
以上、Ｄ２Ｄ通信においてセル間で送信されるスケジューリング情報又は発見信号を効率的に検出するための手法について説明したが、本発明は、上記の実施例に限定されることなく、請求の範囲内において、種々の変更・応用が可能である。
【０１０９】
本国際出願は２０１４年５月９日に出願した日本国特許出願２０１４−０９８１３８号に基づく優先権を主張するものであり、２０１４−０９８１３８号の全内容を本国際出願に援用する。
【符号の説明】
【０１１０】
１０      基地局
１０１    伝送路インターフェース
１０３    ベースバンド信号処理部
１０５    呼処理部
１０７    送受信部
１０９    アンプ部
１０３１  制御部
１０３２  ＤＬ信号生成部
１０３３  マッピング部
１０３４  Ｄ２Ｄ設定決定部
１０３５  ＵＬ信号復号部
１０３６  判定部
２０      ユーザ装置
２０１    アプリケーション部
２０３    ベースバンド信号処理部
２０５    送受信部
２０７    アンプ部
２０３１  制御部
２０３２  送信信号生成部
２０３３  マッピング部
２０３４  ＷＡＮ同期信号検出部
２０３５  ＷＡＮ受信信号復号部
２０３６  ＷＡＮ判定部
２０３７  Ｄ２Ｄ同期信号検出部
２０３８  Ｄ２Ｄ受信信号復号部
２０３９  Ｄ２Ｄ判定部
３０３１  制御部
３０３２  送信信号生成部
３０３３  マッピング部
３０３４  Ｄ２Ｄ／ＷＡＮ切替部
３０３７  同期信号検出部
３０３８  受信信号復号部
３０９    判定部
【図１Ａ】
2015170544.tif 000003
【図１Ｂ】
2015170544.tif 000004
【図２】
2015170544.tif 000005
【図３】
2015170544.tif 000006
【図４】
2015170544.tif 000007
【図５】
2015170544.tif 000008
【図６Ａ】
2015170544.tif 000009
【図６Ｂ】
2015170544.tif 000010
【図７】
2015170544.tif 000011
【図８】
2015170544.tif 000012
【図９】
2015170544.tif 000013
【図１０】
2015170544.tif 000014
【図１１】
2015170544.tif 000015
【図１２】
2015170544.tif 000016
【図１３】
2015170544.tif 000017
【手続補正書】
【提出日】平成28年10月27日(2016.10.27)
【手続補正１】
【補正対象書類名】特許請求の範囲
【補正対象項目名】全文
【補正方法】変更
【補正の内容】
【特許請求の範囲】
【請求項１】
ユーザ装置間通信を行うユーザ装置であって、
基地局から、ユーザ装置間通信のためのキャリアリストを受信する第１受信部と、
前記受信したキャリアリストに基づいて、他ユーザ装置から送信された信号を受信する第２受信部と、
を有するユーザ装置。
【請求項２】
前記第１受信部は、前記基地局から、ユーザ装置間通信のための送信リソースプール及び受信リソースプールの情報を受信し、
前記第２受信部は、前記受信した受信リソースプールの情報に基づいて、他ユーザ装置から送信された信号を受信し、
前記ユーザ装置は、前記受信した送信リソースプールの情報に基づいて、他ユーザ装置に信号を送信する送信部を更に有する、請求項１に記載のユーザ装置。
【請求項３】
前記キャリアリストは、オペレータＩＤを含む、請求項１又は２に記載のユーザ装置。
【請求項４】
前記送信リソースプールの予め定められたリソースにユーザ装置間同期信号をマッピングするマッピング部を更に有する、請求項２に記載のユーザ装置。
【請求項５】
ユーザ装置間通信を行うユーザ装置における信号受信方法であって、
基地局から、ユーザ装置間通信のためのキャリアリストを受信するステップと、
前記受信したキャリアリストに基づいて、他ユーザ装置から送信された信号を受信するステップと、
を有する信号受信方法。
【手続補正２】
【補正対象書類名】明細書
【補正対象項目名】００１５
【補正方法】変更
【補正の内容】
【００１５】
本発明の一形態に係るユーザ装置は、
ユーザ装置間通信を行うユーザ装置であって、
基地局から、ユーザ装置間通信のためのキャリアリストを受信する第１受信部と、
前記受信したキャリアリストに基づいて、他ユーザ装置から送信された信号を受信する第２受信部と、
を有することを特徴とする。
【手続補正３】
【補正対象書類名】明細書
【補正対象項目名】００１６
【補正方法】変更
【補正の内容】
【００１６】
また、本発明の一形態に係る信号受信方法は、
ユーザ装置間通信を行うユーザ装置における信号受信方法であって、
基地局から、ユーザ装置間通信のためのキャリアリストを受信するステップと、
前記受信したキャリアリストに基づいて、他ユーザ装置から送信された信号を受信するステップと、
を有することを特徴とする。
【国際調査報告】
2015170544.tif 000018
2015170544.tif 000019
2015170544.tif 000020